(57)【特許請求の範囲】
【請求項１】
対象空間（ＲＭ）の環境条件を調整する環境調整装置（１）であって、
前記対象空間（ＲＭ）内の複数の利用者（Ｐ１，Ｐ２，Ｐ３，・・・）についてそれぞれの嗜好する前記環境条件の幅のある範囲である嗜好範囲を取得する嗜好範囲取得手段（４１ａ，４２ａ，４３ａ，・・・）と、
前記嗜好範囲取得手段（４１ａ，４２ａ，４３ａ，・・・）により取得された前記複数の利用者それぞれの前記嗜好範囲に基づいて、前記環境条件の設定値の刻みの中から１の前記刻みを選択して前記設定値として決定する設定値決定手段（３０）と、
を備え、
前記設定値決定手段（３０）は、
前記利用者（Ｐ１，Ｐ２，Ｐ３，・・・）ごと前記刻みごとに第１評点を割り当てる第１評点割り当て部（３１ａ）と、
前記刻みごとに第２評点を割り当てる第２評点割り当て部（３１ｂ）と、
１の前記刻みを選択して前記設定値として決定する設定部（３１ｃ）と、
を有し、
前記第１評点割り当て部（３１ａ）は、前記利用者（Ｐ１，Ｐ２，Ｐ３，・・・）ごと前記刻みごとの前記第１評点を、その利用者の前記嗜好範囲にその刻みが含まれる場合には第１値とし、その利用者の前記嗜好範囲にその刻みが含まれない場合には前記第１値と異なる第２値とし、
前記第２評点割り当て部（３１ｂ）は、前記刻みごとの第２評点を、その刻みに割り当てられた前記第１評点を足し合わせた値とし、
前記設定部（３１ｃ）は、前記刻みごとに割り当てられた前記第２評点のうち最も点数の高い又は低い前記第２評点に対応する前記刻みを選択して前記設定値として決定する、
環境調整装置（１）。
【請求項２】
前記第１評点割り当て部（３１ａ）は、前記利用者（Ｐ１，Ｐ２，Ｐ３，・・・）ごと前記刻みごとの前記第１評点を、その刻みがその利用者の前記嗜好範囲の中央値に近くなるほど高く又は低くする、
請求項１に記載の環境調整装置（１）。
【請求項３】
前記設定部（３１ｃ）は、前記刻みごとに割り当てられた前記第２評点のうち最も点数の高い又は低い前記第２評点に対応する前記刻みが複数ある場合には、現在の前記対象空間（ＲＭ）の前記環境条件から最も離れている１の前記刻みを選択する、
請求項１又は２に記載の環境調整装置（１）。
【請求項４】
前記設定部（３１ｃ）は、前記刻みごとに割り当てられた前記第２評点のうち最も点数の高い又は低い前記第２評点に対応する前記刻みが複数ある場合には、現在の前記対象空間（ＲＭ）の前記環境条件に最も近い１の前記刻みを選択する、
請求項１又は２に記載の環境調整装置（１）。
【請求項５】
前記設定部（３１ｃ）は、前記刻みごとに割り当てられた前記第２評点のうち最も点数の高い又は低い前記第２評点に対応する前記刻みが複数ある場合には、前記刻みそれぞれについてその刻みと前記利用者（Ｐ１，Ｐ２，Ｐ３，・・・）ごとの前記嗜好範囲との距離を算出して足し合わせ、その足し合わされた前記距離の合算値が最も小さくなる１の前記刻みを選択する、
請求項１又は２に記載の環境調整装置（１）。
【請求項６】
前記設定部（３１ｃ）は、複数の前記刻みから１の前記刻みを選択するための複数の場合分け処理を行う、
請求項１又は２に記載の環境調整装置（１）。
【請求項７】
前記設定値決定手段（３０）は、
前記利用者（Ｐ１，Ｐ２，Ｐ３，・・・）ごと前記刻みごとの前記第１評点を、その利用者の属性に応じた重み付けを行うことにより補正する重み付け部（３１ｄ）、
をさらに有する、
請求項１から６のいずれかに記載の環境調整装置（１）。
【請求項８】
前記嗜好範囲取得手段（４１ａ，４２ａ，４３ａ，・・・）は、前記利用者（Ｐ１，Ｐ２，Ｐ３，・・・）ごとに範囲長の異なる前記嗜好範囲を取得することが可能である、
請求項１から７のいずれかに記載の環境調整装置（１）。
【請求項９】
前記第１評点割り当て部（３１ａ）は、前記利用者（Ｐ１，Ｐ２，Ｐ３，・・・）ごと前記刻みごとの前記第１評点を、その利用者の前記嗜好範囲の範囲長に応じた点数とする、
請求項８に記載の環境調整装置（１）。
【請求項１０】
前記環境条件は、前記対象空間（ＲＭ）の温度である、
請求項１から９のいずれかに記載の環境調整装置（１）。
【発明の詳細な説明】
【技術分野】
【０００１】
本発明は、対象空間の環境条件を調整する環境調整装置に関する。
【背景技術】
【０００２】
空気調和装置、加湿器、除湿器、照明機器などの環境調整装置では、その対象空間内の利用者に快適な環境がもたらされるよう、対象空間の温度、湿度、照度などの環境条件が利用者の嗜好する設定値を基準として調整されるようになっていることが多い。
【０００３】
ところが、従来の環境調整装置では、対象空間内に複数の利用者が存在し、かつ、それぞれの嗜好する環境条件にばらつきが見られる場合には、一部の利用者にとっては快適であってもその他の利用者にとっては不快となるような環境が創造されてしまうことがある。こうした問題に対処するために、特許文献１に開示される空気調和装置では、複数の利用者それぞれに対応する空調制御データを平均化することにより、複数の利用者間の調整を図っている。
【特許文献１】特許第２５０４３１９号
【発明の開示】
【発明が解決しようとする課題】
【０００４】
しかしながら、特許文献１のように、単に複数の利用者それぞれに対応する空調制御データを平均化するだけでは、依然として、複数の利用者間においてそれぞれの嗜好が十分に調整されないことがある。
【０００５】
本発明の課題は、対象空間内の複数の利用者それぞれの嗜好を合理的に調整することにより、全体としての快適性を高めることができる環境調整装置を提供することにある。
【課題を解決するための手段】
【０００６】
請求項１に係る環境調整装置は、嗜好範囲取得手段と、設定値決定手段とを備え、対象空間の環境条件を調整する。嗜好範囲取得手段は、対象空間内の複数の利用者についてそれぞれの嗜好する環境条件の幅のある範囲である嗜好範囲を取得する。設定値決定手段は、嗜好範囲取得手段により取得された複数の利用者それぞれの嗜好範囲に基づいて、環境条件の設定値の刻みの中から１の刻みを選択して設定値として決定する。設定値決定手段は、第１評点割り当て部と、第２評点割り当て部と、設定部とを有する。第１評点割り当て部は、利用者ごと刻みごとに第１評点を割り当てる。第２評点割り当て部は、刻みごとに第２評点を割り当てる。設定部は、１の刻みを選択して設定値として決定する。第１評点割り当て部は、利用者ごと刻みごとの第１評点を、その利用者の嗜好範囲にその刻みが含まれる場合には第１値とし、その利用者の嗜好範囲にその刻みが含まれない場合には第１値と異なる第２値とする。第２評点割り当て部は、刻みごとの第２評点を、その刻みに割り当てられた第１評点を足し合わせた値とする。設定部は、刻みごとに割り当てられた第２評点のうち最も点数の高い又は低い第２評点に対応する刻みを選択して設定値として決定する。
【０００７】
請求項２に係る環境調整装置は、請求項１に係る環境調整装置であって、第１評点割り当て部は、利用者ごと刻みごとの第１評点を、その刻みがその利用者の嗜好範囲の中央値に近くなるほど高く又は低くする。
【０００８】
請求項３に係る環境調整装置は、請求項１又は請求項２に係る環境調整装置であって、設定部は、刻みごとに割り当てられた第２評点のうち最も点数の高い又は低い第２評点に対応する刻みが複数ある場合には、現在の対象空間の環境条件から最も離れている１の刻みを選択する。
【０００９】
請求項４に係る環境調整装置は、請求項１又は請求項２に係る環境調整装置であって、設定部は、刻みごとに割り当てられた第２評点のうち最も点数の高い又は低い第２評点に対応する刻みが複数ある場合には、現在の対象空間の環境条件に最も近い１の刻みを選択する。
【００１０】
請求項５に係る環境調整装置は、請求項１又は請求項２に係る環境調整装置であって、設定部は、刻みごとに割り当てられた第２評点のうち最も点数の高い又は低い第２評点に対応する刻みが複数ある場合には、刻みそれぞれについてその刻みと利用者ごとの嗜好範囲との距離を算出して足し合わせ、その足し合わされた距離の合算値が最も小さくなる１の刻みを選択する。
【００１１】
請求項６に係る環境調整装置は、請求項１又は請求項２に係る環境調整装置であって、設定部は、複数の刻みから１の刻みを選択するための複数の場合分け処理を行う。
【００１２】
請求項７に係る環境調整装置は、請求項１から請求項６のいずれかに係る環境調整装置であって、設定値決定手段は、重み付け部をさらに有する。重み付け部は、利用者ごと刻みごとの第１評点を、その利用者の属性に応じた重み付けを行うことにより補正する。
【００１３】
請求項８に係る環境調整装置は、請求項１から請求項７のいずれかに係る環境調整装置であって、嗜好範囲取得手段は、利用者ごとに範囲長の異なる嗜好範囲を取得することが可能である。
【００１４】
請求項９に係る環境調整装置は、請求項８に係る環境調整装置であって、第１評点割り当て部は、利用者ごと刻みごとの第１評点を、その利用者の嗜好範囲の範囲長に応じた点数とする。
【００１５】
請求項１０に係る環境調整装置は、請求項１から９のいずれかに係る環境調整装置であって、環境条件は、対象空間の温度である。
【００１６】
本発明に関連する第１発明に係る環境調整装置は、嗜好範囲取得手段と、設定値決定手段とを備え、対象空間の環境条件を調整する。嗜好範囲取得手段は、対象空間内の複数の利用者についてそれぞれの嗜好範囲を取得する。嗜好範囲とは、利用者の嗜好する環境条件の範囲である。設定値決定手段は、嗜好範囲取得手段により取得された嗜好範囲に基づいて、環境条件の設定値を決定する。
【００１７】
この環境調整装置では、対象空間内の複数の利用者についてそれぞれの嗜好する環境条件が幅を有する範囲（嗜好範囲）として取得される。なお、ここでいう「環境条件」には、例えば、空気調和装置であれば温度や風量、加湿器や除湿器であれば湿度、照明装置であれば照度など、対象空間を快適な環境とするために環境調整装置が調整し得る全ての項目が含まれる。また、ここでいう「取得」には、リモコン等を介して利用者から入力を受けたり、過去の運転データに基づいて自動的に判断したりすることが含まれる。そして、この環境調整装置では、複数の利用者の嗜好範囲に基づいて、運転時の基準値となる環境条件の設定値が決定される。これにより、この環境調整装置では、対象空間内の複数の利用者それぞれの嗜好を合理的に調整することが可能となり、全体としての快適性を高めることができる。
【００１８】
本発明に関連する第２発明に係る環境調整装置は、第１発明に係る環境調整装置であって、設定値決定手段は、第１評点割り当て部と、第２評点割り当て部と、設定部とを有する。第１評点割り当て部は、嗜好範囲取得手段により取得された嗜好範囲に基づいて、利用者ごと環境条件の設定刻みごとに第１評点を割り当てる。第２評点割り当て部は、第１評点に基づいて、環境条件の設定刻みごとに第２評点を割り当てる。設定部は、第２評点に基づいて、１の環境条件の設定刻みを選択して設定値とする。
【００１９】
この環境調整装置では、複数の利用者の嗜好範囲に基づいて、利用者ごと環境条件の設定刻みごとに第１評点が割り当てられ、この利用者ごと環境条件の設定刻みごとに割り当てられた第１評点に基づいて、環境条件の設定刻みごとに第２評点が割り当てられる。そして、この環境条件の設定刻みごとに割り当てられた第２評点に基づいて、環境条件の設定刻みの中から１の設定刻みが選択されて設定値とされる。これにより、この環境調整装置では、複数の利用者間におけるそれぞれの嗜好の調整を具体的に実現することができる。
【００２０】
本発明に関連する第３発明に係る環境調整装置は、第２発明に係る環境調整装置であって、第１評点割り当て部は、利用者ごと環境条件の設定刻みごとの第１評点を、その利用者の嗜好範囲にその設定刻みが含まれる場合には第１値とし、その利用者の嗜好範囲にその設定刻みが含まれない場合には第２値とする。第２値は、第１値と異なる。
【００２１】
この環境調整装置では、利用者に嗜好される環境条件の設定刻みと利用者に嗜好されない環境条件の設定刻みとに異なる所定の第１評点が割り当てられる。これにより、この環境調整装置では、利用者の嗜好を考慮して運転時の基準値となる環境条件の設定値を決定することができる。
【００２２】
本発明に関連する第４発明に係る環境調整装置は、第２発明に係る環境調整装置であって、利用者ごと環境条件の設定刻みごとの第１評点を、その設定刻みがその利用者の嗜好範囲の中央値に近くなるほど高く又は低くする。
【００２３】
この環境調整装置では、嗜好範囲の中央値に近ければ近い環境条件の設定刻みほど、割り当てられる第１評点が高くなったり低くなったりする。これにより、この環境調整装置では、嗜好範囲の中央値に近ければ近い環境条件の設定刻みほど、より強く利用者に嗜好されているものとして取り扱うことができる。
【００２４】
本発明に関連する第５発明に係る環境調整装置は、第２発明から第４発明のいずれかに係る環境調整装置であって、設定部は、環境条件の設定刻みごとに割り当てられた第２評点のうち最も点数の高い又は低い第２評点に対応する設定刻みを設定値の候補値とする。
【００２５】
この環境調整装置では、環境条件の各設定刻みに割り当てられた第２評点の高低に基づいて、運転時の基準値となる環境条件の設定値の候補値が決定される。これにより、この環境調整装置では、利用者の嗜好を考慮して運転時の基準値となる環境条件の設定値の候補値を選出することができる。
【００２６】
本発明に関連する第６発明に係る環境調整装置は、第５発明に係る環境調整装置であって、設定部は、候補値が複数ある場合には、現在の対象空間の環境条件に基づいて１の候補値を選択する。
【００２７】
この環境調整装置では、第２評点に基づいて設定値の候補値が複数選出された場合には、それらの選出された複数の候補値に対応する複数の運転の中から現在の対象空間の環境条件に基づいて１の運転が選択される。これにより、この環境調整装置では、複数の候補値に対応する複数の運転の中から強めの運転を選択したり、あるいは弱めの運転を選択したりすることができる。
【００２８】
本発明に関連する第７発明に係る環境調整装置は、第５発明に係る環境調整装置であって、設定部は、候補値が複数ある場合には、最も省エネルギーが見込まれる１の候補値を選択する。
【００２９】
この環境調整装置では、第２評点に基づいて設定値の候補値が複数選出された場合には、それらの選出された複数の候補値に対応する複数の運転の中から最も省エネルギーが見込まれる１の運転が選択される。これにより、この環境調整装置では、省エネルギーを図ることができる。
【００３０】
本発明に関連する第８発明に係る環境調整装置は、第５発明に係る環境調整装置であって、設定部は、候補値が複数ある場合には、候補値それぞれについてその候補値と利用者ごとの嗜好範囲との距離を算出して足し合わせ、その足し合わされた距離に基づいて１の候補値を選択する。
【００３１】
この環境調整装置では、第２評点に基づいて設定値の候補値が複数選出された場合には、それらの選出された複数の候補値それぞれについてその候補値と利用者の嗜好範囲との離れ具合に基づいて１の候補値が選択される。これにより、この環境調整装置では、候補値と利用者の嗜好範囲との離れ具合を考慮して、複数の候補値を絞り込むことができる。
【００３２】
本発明に関連する第９発明に係る環境調整装置は、第５発明に係る環境調整装置であって、設定部は、複数の候補値から１の候補値を選択するための複数のロジックを有している。
【００３３】
この環境調整装置では、第２評点に基づいて選出された複数の設定値の候補値を、複数のロジックによって絞り込むことができる。すなわち、この環境調整装置では、第２評点に基づいて設定値の候補値が複数選出された場合には、複数のロジックの中からそのときの条件に見合うロジックによって候補値が絞り込まれることになり、運転時の基準値となる環境条件の設定値をより合理的に決定することができる。
【００３４】
本発明に関連する第１０発明に係る環境調整装置は、第２発明から第９発明のいずれかに係る環境調整装置であって、第２評点割り当て部は、設定刻みごとの第２評点を、その設定刻みに対応する第１評点を足し合わせた値とする。
【００３５】
この環境調整装置では、設定刻みごとに割り当てられる第２評点が、その設定刻みに対応する第１評点であって全ての利用者に対応する第１評点が足し合わされた値とされる。これにより、この環境調整装置では、複数の利用者それぞれの嗜好を調整することができる。
【００３６】
本発明に関連する第１１発明に係る環境調整装置は、第２発明から第１０発明のいずれかに係る環境調整装置であって、設定値決定手段は、重み付け部をさらに有する。重み付け部は、利用者ごと環境条件の設定刻みごとの第１評点を、その利用者の属性に応じた重み付けを行うことにより補正する。
【００３７】
この環境調整装置では、利用者ごと環境条件の設定刻みごとに割り当てられた第１評点が、その利用者の属性に応じて重み付けされる。したがって、この環境調整装置では、利用者の属性を考慮して運転時の基準値となる環境条件の設定値を決定することができる。
【００３８】
本発明に関連する第１２発明に係る環境調整装置は、第２発明から第１１発明のいずれかに係る環境調整装置であって、嗜好範囲取得手段は、利用者ごとに範囲長の異なる嗜好範囲を取得することが可能である。
【００３９】
通常、利用者の許容し得る環境条件の範囲の幅には個人差がある。一方、この環境調整装置では、利用者の嗜好範囲の範囲長を利用者ごとに異なるものとすることができる。したがって、この環境調整装置では、敏感な利用者の嗜好範囲を狭くしたり、鈍感な利用者の嗜好範囲を広くしたりすることも可能であり、運転時の基準値となる環境条件の設定値をより合理的に決定することができる。
【００４０】
本発明に関連する第１３発明に係る環境調整装置は、第１２発明に係る環境調整装置であって、第１評点割り当て部は、利用者ごと環境条件の設定刻みごとの第１評点を、その利用者の嗜好範囲の範囲長に応じた点数とする。
【００４１】
この環境調整装置では、利用者ごと環境条件の設定刻みごとに割り当てられる第１評点が、その利用者の嗜好範囲の範囲長に応じて決定される。これにより、この環境調整装置では、嗜好範囲の狭い敏感な利用者に対応する第１評点を高くしたり、嗜好範囲の広い鈍感な利用者に対応する第１評点を低くしたりすることが可能であり、運転時の基準値となる環境条件の設定値をより合理的に決定することができる。
【００４２】
本発明に関連する第１４発明に係る環境調整装置は、第１発明から第１３発明のいずれかに係る環境調整装置であって、環境条件は、対象空間の温度である。
【００４３】
この環境調整装置では、複数の利用者の設定温度値に関する嗜好を合理的に調整することが可能となる。
【発明の効果】
【００４４】
本発明に係る環境調整装置では、対象空間内の複数の利用者それぞれの嗜好を合理的に調整することが可能となり、全体としての快適性を高めることができる。
【発明を実施するための最良の形態】
【００４５】
以下、図１〜図１２を参照して、本発明の実施形態に係る空気調和装置について説明する。
【００４６】
＜第１実施形態＞
〔空気調和装置の構成〕
図１に、第１実施形態に係る空気調和装置１が部屋ＲＭに設置された様子を示す。空気調和装置１は、主として、室内ユニット１０と、室内ユニット１０に冷媒連絡配管を介して接続される室外ユニット２０と、室内ユニット１０および室外ユニット２０の動作を監視・制御する空調管理装置３０と、ローカルエリアネットワーク（ＬＡＮ）５を介して空調管理装置３０に接続されるパソコン端末４１，４２，４３，・・・の一機能である設定入力部４１ａ，４２ａ，４３ａ，・・・（図２参照）とから構成される。
【００４７】
（１）室内ユニット
室内ユニット１０は、オフィスの一室である部屋ＲＭの天井に埋め込まれている。部屋ＲＭ内には、複数のデスク５１，５２，５３，・・・が設置されており、複数のデスク５１，５２，５３，・・・上には、社員Ｐ１，Ｐ２，Ｐ３，・・・が使用するためのパソコン端末４１，４２，４３，・・・が設置されている。そして、室内ユニット１０は、専用ネットワーク４を介して室外ユニット２０および空調管理装置３０との間で制御信号の授受を行いながら、冷媒と室内空気との間で熱交換を行うことにより、部屋ＲＭ内の空気を調和する。室内ユニット１０の設定温度値としては、２０．０℃，２０．５℃，２１．０℃，２１．５℃，・・・，２９．０℃のいずれかを選択することが可能となっており、設定風量値としては、弱風、微風および強風のいずれかを選択することが可能となっている。
【００４８】
（２）室外ユニット
室外ユニット２０は、部屋ＲＭの存在するオフィスビルの屋上に設置されており、専用ネットワーク４を介して室内ユニット１０および空調管理装置３０との間で制御信号の授受を行いながら、冷媒と室外空気との間で熱交換を行う。
【００４９】
（３）空調管理装置
空調管理装置３０は、専用ネットワーク４を介して室内ユニット１０および室外ユニット２０を監視・制御している。また、空調管理装置３０は、オフィス内のＬＡＮ５にも接続されており、同じくＬＡＮ５に接続されているパソコン端末４１，４２，４３，・・・との通信も可能となっている。なお、空調管理装置３０は、適当なプロトコル変換機能を有しており、専用ネットワーク４およびＬＡＮ５を介して専用ネットワーク４およびＬＡＮ５に接続されている他機器と自在に通信することができるようになっている。そして、空調管理装置３０は、室内ユニット１０および室外ユニット２０の監視・制御の一環として、社員Ｐ１，Ｐ２，Ｐ３，・・・から設定入力部４１ａ，４２ａ，４３ａ，・・・を介して空調設定データが送信されてくると、この空調設定データに基づいて室内ユニット１０において採用される設定温度値および設定風量値を決定し、専用ネットワーク４を介して室内ユニット１０および室外ユニット２０に送信する。
【００５０】
また、図２に示すように、空調管理装置３０は、主として、制御部３１、記憶部３２および通信ポート３３ａ，３３ｂから構成されている。通信ポート３３ａは、専用ネットワーク４との接続用の通信ポートであり、通信ポート３３ｂは、ＬＡＮ５との接続用の通信ポートである。記憶部３２には、設定温度値決定プログラム３２ａおよび設定風量値決定プログラム３２ｂが記憶されている。そして、これらのプログラム３２ａ，３２ｂが制御部３１において実行されることにより、制御部３１は第１評点割り当て部３１ａ、第２評点割り当て部３１ｂ、設定部３１ｃおよび重み付け部３１ｄとして動作することになる。これらの各部３１ａ〜３１ｄの動作の詳細については、後述する。
【００５１】
（４）設定入力部
パソコン端末４１，４２，４３，・・・は、部屋ＲＭ内に設置されたデスク５１，５２，５３，・・・上に設置されており、オフィス内のＬＡＮ５に接続されている。このパソコン端末４１，４２，４３，・・・は、本来、社員Ｐ１，Ｐ２，Ｐ３，・・・が業務用に使用するためのものであるが、社員Ｐ１，Ｐ２，Ｐ３，・・・からの空調設定データの設定入力を受け付ける設定入力アプリケーションがインストールされているため、空調設定データの設定入力部４１ａ，４２ａ，４３ａ，・・・としても機能することになる。設定入力部４１ａ，４２ａ，４３ａ，・・・は、社員Ｐ１，Ｐ２，Ｐ３，・・・に自身の希望温度や希望風量などに関する空調設定データを入力させ、その社員Ｐ１，Ｐ２，Ｐ３，・・・から取得した空調設定データを空調管理装置３０に送信する。また、社員Ｐ１，Ｐ２，Ｐ３，・・・からの空調設定データが設定入力部４１ａ，４２ａ，４３ａ，・・・から空調管理装置３０へと送信される際には、空調設定データとともにその社員Ｐ１，Ｐ２，Ｐ３，・・・を識別する社員識別データも送信されることになる。この社員識別データは、社員Ｐ１，Ｐ２，Ｐ３，・・・がパソコン端末４１，４２，４３，・・・にログインした際のログイン情報に基づいて、設定入力アプリケーションにより自動的に生成される。
【００５２】
〔空調設定データの設定入力〕
社員Ｐ１，Ｐ２，Ｐ３，・・・は、所定のユーザーＩＤおよびパスワードを入力してログインすることにより、パソコン端末４１，４２，４３，・・・の使用が許可される。そして、社員Ｐ１，Ｐ２，Ｐ３，・・・は、パソコン端末４１，４２，４３，・・・を用いて業務を遂行しながら、部屋ＲＭの室内環境に不快感を感じた場合などに、パソコン端末４１，４２，４３，・・・上で設定入力アプリケーションを起動し（すなわち、設定入力部４１ａ，４２ａ，４３ａ，・・・を起動し）、パソコン端末４１，４２，４３，・・・のディスプレイ上に図３に示す設定入力画面１００を表示させる。
【００５３】
設定入力アプリケーションにより作成される設定入力画面１００には、希望温度選択エリア１０１と、希望風量選択エリア１０２と、表示エリア１０３と、性別選択エリア１０４と、年齢選択エリア１０５と、体調選択エリア１０６と、役職選択エリア１０７と、送信ボタン１０８と、キャンセルボタン１０９とが表示される。表示エリア１０３には、室内ユニット１０において現在採用されている設定温度値および設定風量値が表示される。なお、設定入力アプリケーションは、この設定温度値および設定風量値を、ＬＡＮ５を介して空調管理装置３０にアクセスすることにより取得することになる。一方、社員Ｐ１，Ｐ２，Ｐ３，・・・は、ディスプレイ上に設定入力画面１００が表示されたことを受けて、表示エリア１０３に表示された現在の設定温度値および設定風量値を参考にしながら、希望温度選択エリア１０１に希望温度の上限値および下限値を、希望風量選択エリア１０２に希望風量の上限値および下限値を入力するととともに、性別選択エリア１０４、年齢選択エリア１０５、体調選択エリア１０６および役職選択エリア１０７に自身の性別、年齢、体調および役職を入力する。このとき、希望温度の上限値および下限値については、２０．０℃，２０．５℃，２１．０℃，２１．５℃，・・・，２９．０℃の中から下限値が上限値以下となるように選択することが可能になっており、希望風量の上限値および下限値については、弱風、微風および強風の中から下限値が上限値以下となるように選択することが可能となっている。なお、希望温度および希望風量の範囲長（すなわち、下限値と上限値との差）については、各社員Ｐ１，Ｐ２，Ｐ３，・・・が任意に設定可能となっている。そして、その後、社員Ｐ１，Ｐ２，Ｐ３，・・・により送信ボタン１０８が押されると、その社員Ｐ１，Ｐ２，Ｐ３，・・・によりエリア１０１，１０２，１０４〜１０７に入力された空調設定データは、その社員Ｐ１，Ｐ２，Ｐ３，・・・を識別する社員識別データとともにＬＡＮ５を介して設定入力部４１ａ，４２ａ，４３ａ，・・・から空調管理装置３０へと送信される。このように、空調設定データには、社員Ｐ１，Ｐ２，Ｐ３，・・・の希望温度範囲および希望風量範囲を示すデータや、性別、年齢、体調および役職のような社員Ｐ１，Ｐ２，Ｐ３，・・・の属性を示すデータが含まれる。また、社員識別データは、設定入力アプリケーションによりログイン情報から自動的に生成される。なお、社員Ｐ１，Ｐ２，Ｐ３，・・・により設定入力画面１００上でキャンセルボタン１０９が押された場合には、設定入力部４１ａ，４２ａ，４３ａ，・・・から空調管理装置３０へと空調設定データおよび社員識別データが送信されることなく設定入力画面１００が閉じ、設定入力アプリケーションが終了する（すなわち、設定入力部４１ａ，４２ａ，４３ａ，・・・が終了する）ことになる。
【００５４】
〔設定温度値の決定処理〕
以下、図４を参照して、社員Ｐ１，Ｐ２，Ｐ３，・・・により入力された空調設定データに基づいて室内ユニット１０において採用される設定温度値が決定される際の処理について説明する。この処理は、いずれかのパソコン端末４１，４２，４３，・・・から空調設定データが送られてくる度に空調管理装置３０において実行される処理である。このとき、空調管理装置３０の制御部３１は、記憶部３２に記憶されている設定温度値決定プログラム３２ａを読み出して実行することにより、第１評点割り当て部３１ａ、第２評点割り当て部３１ｂ、設定部３１ｃおよび重み付け部３１ｄとして動作する。
【００５５】
ステップＳ１では、まず、この処理の開始の条件となった空調設定データが記憶部３２に記憶される。続いて、第１評点割り当て部３１ａは、記憶部３２を参照し、室内ユニット１０の駆動後に設定入力部４１ａ，４２ａ，４３ａ，・・・を介して社員Ｐ１，Ｐ２，Ｐ３，・・・から送られてきた空調設定データに基づいて、社員Ｐ１，Ｐ２，Ｐ３，・・・ごと温度設定刻み（２０．０℃，２０．５℃，２１．０℃，２１．５℃，・・・，２９．０℃）ごとに第１評点を割り当てる。なお、この第１評点の割り当てにおいては、室内ユニット１０の駆動後に同じ社員から複数の空調設定データが送られてきている場合には、その社員の最新の空調設定データのみが利用されることになる。また、複数の空調設定データが同じ社員からのものであるか否かは、それらの空調設定データとともに送られてきた社員識別データに基づいて判断される。そして、このとき、社員Ｐ１，Ｐ２，Ｐ３，・・・ごと温度設定刻みごとに割り当てられる第１評点は、その社員の希望温度範囲にその温度設定刻みが含まれる場合には「１」となり、その社員の希望温度範囲にその温度設定刻みが含まれない場合には「０」となる。
【００５６】
ここで、簡単のために、以下の説明においては、室内ユニット１０の駆動後においては空調管理装置３０に５名の社員Ｐ１〜Ｐ５からの空調設定データのみが送られてきているものとし、各社員Ｐ１〜Ｐ５に対応する空調設定データの内容の詳細は、図５のようになっているものとする。この場合、ステップＳ１において社員Ｐ１〜Ｐ５ごと温度設定刻みごとに割り当てられる第１評点は、図６の通りとなる。
【００５７】
次に、ステップＳ２では、重み付け部３１ｄは、室内ユニット１０の駆動後に社員Ｐ１〜Ｐ５から送られてきた空調設定データに含まれる社員Ｐ１〜Ｐ５の属性を示すデータに基づいて、ステップＳ１で社員Ｐ１〜Ｐ５ごと温度設定刻みごとに割り当てられた各第１評点に重み付けを行う。より具体的には、重み付け部３１ｄは、各第１評点に対して、その第１評点に対応する社員の性別が「男性」であれば１．０倍し、「女性」であれば１．２倍する。また、年齢が２０代以下であれば０．７倍し、３０代であれば０．８倍し、４０代であれば０．９倍し、５０代以上であれば１．０倍する。さらに、体調が「良」であれば１．０倍し、「不良」であれば２．０倍する。さらに、役職が「非管理職」であれば１．０倍し、「課長」であれば１．５倍し、「部長以上」であれば１．２倍とする。この結果、ステップＳ１で社員Ｐ１〜Ｐ５ごと温度設定刻みごとに割り当てられた第１評点は、図７に示される通りとなる。
【００５８】
次に、ステップＳ３では、第２評点割り当て部３１ｂは、温度設定刻みごとに第２評点を割り当てる。このとき、ある温度設定刻みに割り当てられる第２評点は、ステップＳ２で重み付けされたその温度設定刻みに対応する全ての第１評点を足し合わせることにより算出される。すなわち、ステップＳ３では、第２評点として、図７の総計の行に示される総点が算出される。
【００５９】
次に、ステップＳ４では、設定部３１ｃは、ステップＳ３で算出された全ての第２評点のうち点数の最も高い第２評点に対応する温度設定刻みを、室内ユニット１０で採用される設定温度値の候補値として選出する。そして、このとき、候補値が複数ある場合には、処理はステップＳ５に進み、候補値が１つしかない場合には、処理はステップＳ４Ａに進む。ここでは、図７に示されるように、第２評点が最も高くなるのは、温度設定刻みが「２２．５℃」および「２３．０℃」となるときである。したがって、「２２．５℃」および「２３．０℃」の２つの温度設定刻みが候補値となるとともに、処理はステップＳ５に進む。
【００６０】
ステップＳ５では、設定部３１ｃは、ステップＳ４で選出された各候補値ついて、図８に示すようにその候補値と各社員Ｐ１〜Ｐ５の希望温度範囲との距離を算出する。そして、設定部３１ｃは、候補値ごとにその候補値と各社員Ｐ１〜Ｐ５の希望温度範囲との距離を全て足し合わせ、その距離の合算値が最も小さくなる候補値を設定温度値として決定する。そして、このとき、候補値が依然として複数ある場合には、処理はステップＳ６に進み、候補値が１つに絞り込まれた場合には、処理はステップＳ５Ａに進むことになる。ここでは、図８に示されるように、２つの候補値「２２．５℃」および「２３．０℃」に対応する距離の合算値が等しいため、処理はステップＳ６に進むことになる。
【００６１】
ステップＳ６では、設定部３１ｃは、現在時刻をチェックして現在時刻が定時時間内（例えば、９：００〜１７：００）であるか否かを判断する。そして、現在時刻が定時時間内と判断された場合には、処理はステップＳ７に進み、定時時間外であると判断された場合には、処理はステップＳ８に進む。
【００６２】
ステップＳ７では、設定部３１ｃは、現在の部屋ＲＭの温度情報を取得し、ステップＳ５で絞り込まれた候補値「２２．５℃」および「２３．０℃」のうち現在の部屋ＲＭの温度からより離れている候補値を設定温度値として決定する。なお、候補値が３つ以上存在する場合には、現在の部屋ＲＭの温度から最も離れている候補値が選択されることになる。すなわち、ステップＳ７では、ステップＳ５で絞り込まれた候補値に対応する運転の中から最も強い運転が選択されることになる。
【００６３】
ステップＳ８では、設定部３１ｃは、現在の部屋ＲＭの温度情報を取得し、ステップＳ５で絞り込まれた候補値「２２．５℃」および「２３．０℃」のうち現在の部屋ＲＭの温度により近い候補値を設定温度値として決定する。なお、候補値が３つ以上存在する場合には、現在の部屋ＲＭの温度に最も近い候補値が選択されることになる。すなわち、ステップＳ８では、ステップＳ５で絞り込まれた候補値に対応する運転の中から最も省エネルギーが見込まれる運転が選択されることになる。
【００６４】
なお、ステップＳ４Ａでは、設定部３１ｃは、ステップＳ４で選出された１つの候補値を設定温度値として決定する。
【００６５】
また、ステップＳ５Ａでは、設定部３１ｃは、ステップＳ５で絞り込まれた１つの候補値を設定温度値として決定する。
【００６６】
〔設定風量値の決定処理〕
室内ユニット１０において採用される設定風量値が決定される際の処理は、設定温度値の場合には１９段階の温度設定刻み（２０．０℃，２０．５℃，２１．０℃，２１．５℃，・・・，２９．０℃）の中から１つの設定温度値が選択されるのに対し、設定風量値の場合には３段階の風量設定刻み（弱風、微風、強風）の中から１つの設定風量値が選択されることになる点を除いて、設定温度値が決定される際の処理と同様である。このとき、空調管理装置３０の制御部３１は、記憶部３２に記憶されている設定風量値決定プログラム３２ｂを読み出して実行することにより、第１評点割り当て部３１ａ、第２評点割り当て部３１ｂ、設定部３１ｃおよび重み付け部３１ｄとして動作する。
【００６７】
〔特徴〕
（１）
空気調和装置１の設定入力部４１ａ，４２ａ，４３ａ，・・・は、社員Ｐ１，Ｐ２，Ｐ３，・・・に自身の希望温度および希望風量をその上限値および下限値を指定させて入力させるようになっている。したがって、空気調和装置１では、社員Ｐ１，Ｐ２，Ｐ３，・・・の希望温度および希望風量が幅のある希望温度範囲および希望風量範囲として取得されるため、各社員Ｐ１，Ｐ２，Ｐ３，・・・の希望を柔軟に調整することが可能となっている。
【００６８】
また、各社員Ｐ１，Ｐ２，Ｐ３，・・・は、希望温度および希望風量の幅を任意に指定することができるようになっている。したがって、社員Ｐ１，Ｐ２，Ｐ３，・・・の希望温度および希望風量についての個人差に柔軟に対応することができる。
【００６９】
（２）
空調管理装置３０では、設定温度値又は設定風量値として複数の候補値が選出された場合において、現在時刻が定時時間内であるか定時時間外であるかによって場合分けが行われる。したがって、そのときどきに応じた合理的なロジックが採用されることになる。
【００７０】
（３）
上記ステップＳ２では、各社員Ｐ１，Ｐ２，Ｐ３，・・・の属性に応じてその社員に割り当てられる第１評点に重み付けが行われるようになっている。したがって、設定温度値および設定風量値が、各社員Ｐ１，Ｐ２，Ｐ３，・・・の属性に応じて決定されることになる。
【００７１】
（４）
上記ステップＳ７，Ｓ８では、現在の部屋ＲＭの温度情報又は風量情報に基づいて、複数の設定温度値又は設定風量値の候補値の中から１の候補値が選択されることになる。このように、設定温度値又は設定風量値の候補値が複数ある場合において、最も省エネルギーが見込まれる運転や最も強めの運転を選択することができるようになっている。
【００７２】
＜第２実施形態＞
〔空気調和装置の構成〕
第２実施形態に係る空気調和装置は、第１実施形態に係る空気調和装置１と同様のハードウェア構成を有しており、その動作についても空調管理装置３０において設定温度値および設定風量値が決定される際の処理が一部異なるのみである。以下、第１実施形態との差異について説明する。
【００７３】
〔設定温度値の決定処理〕
図９は、空調管理装置３０において設定温度値が決定される際の処理の流れを示している。この処理は、いずれかのパソコン端末４１，４２，４３，・・・から空調設定データが送られてくる度に空調管理装置３０において実行される処理であり、ステップＳ１の代わりにステップＳ２１が実行される点を除いて、第１実施形態における図４に係る処理と同様である。また、ステップＳ２１とステップＳ１とでは、社員Ｐ１，Ｐ２，Ｐ３，・・・ごと温度設定刻みごとの第１評点を決定する方法が異なるのみであって、その他の点においては同様である。
【００７４】
ステップＳ２１においては、社員Ｐ１，Ｐ２，Ｐ３，・・・ごと温度設定刻みごとに割り当てられる第１評点は、以下のようにして決定される。まず、第１評点割り当て部３１ａは、各社員Ｐ１，Ｐ２，Ｐ３，・・・の希望温度範囲の中央値となる温度に第１評点として「１．００」を割り当て、各社員Ｐ１，Ｐ２，Ｐ３，・・・の希望温度範囲の直外の温度設定刻みに第１評点として「０．００」を割り当てる。そして、第１評点割り当て部３１ａは、これらの特定の温度における第１評点を基準として、第１評点が温度に比例するようにその他の温度設定刻みにおける第１評点を決定する。したがって、室内ユニット１０の駆動後に社員Ｐ１，Ｐ２，Ｐ３，・・・から図５に示す空調設定データが送られてきたものとすると、社員Ｐ１〜Ｐ５ごと温度設定刻みごとに割り当てられる第１評点は、図１０に示されるようになる。すなわち、社員Ｐ３の場合、その希望温度範囲は「２２．５℃〜２４．０℃」となっているため、希望温度範囲の直外の温度設定刻みである「２２．０℃」と「２４．５℃」とに第１評点として「０．００」が割り当てられる。さらに、社員Ｐ３の希望温度範囲の中央値である「２３．２５℃」に第１評点として「１．００」が割り当てられる。続いて、（２２．０℃，０．００）と（２３．２５℃，１．００）とを満たす以下の比例式（式１）と、（２３．２５℃，１．００）と（２４．５℃，０．００）とを満たす以下の比例式（式２）とが算出され、これらの（式１）（式２）に各温度設定刻みを代入することにより各温度設定刻みにおける第１評点が決定される。
【００７５】
Ｐ＝（Ｔ−２２．０）／（２３．２５−２２．０）  Ｔ≦２３．２５℃・・・（式１）
Ｐ＝（Ｔ−２４．５）／（２３．２５−２４．５）  Ｔ＞２３．２５℃・・・（式２）
ただし、Ｐは第１評点、Ｔは温度である。
【００７６】
〔設定風量値の決定処理〕
室内ユニット１０において採用される設定風量値が決定される際の処理は、設定温度値の場合には１９段階の温度設定刻み（２０．０℃，２０．５℃，２１．０℃，２１．５℃，・・・，２９．０℃）の中から１つの設定温度値が選択されるのに対し、設定風量値の場合には３段階の風量設定刻み（弱風、微風、強風）の中から１つの設定風量値が選択されることになる点を除いて、設定温度値が決定される際の処理と同様である。このとき、空調管理装置３０の制御部３１は、記憶部３２に記憶されている設定風量値決定プログラム３２ｂを読み出して実行することにより、第１評点割り当て部３１ａ、第２評点割り当て部３１ｂ、設定部３１ｃおよび重み付け部３１ｄとして動作する。
【００７７】
〔特徴〕
各社員Ｐ１，Ｐ２，Ｐ３，・・・について温度設定刻みごとに割り当てられる第１評点は、希望温度範囲の中央付近で最大となり、中央値から外側へと離れるにつれて低くなる。これにより、社員Ｐ１，Ｐ２，Ｐ３，・・・により入力された希望温度範囲の中央値に近ければ近い温度設定刻みほど、社員Ｐ１，Ｐ２，Ｐ３，・・・がより強く希望する値として取り扱うことができる。風量設定刻みの場合も同様である。
【００７８】
＜変形例＞
（１）
上記実施形態において、性別、年齢、体調および役職以外の社員Ｐ１，Ｐ２，Ｐ３，・・・の属性が考慮されるようになっていてもよい。
【００７９】
（２）
上記第１実施形態のステップＳ１又は第２実施形態のＳ２１において社員Ｐ１，Ｐ２，Ｐ３，・・・ごと温度設定刻みごとに割り当てられる２種類の第１評点は、「１」「０」以外の数値であってもよい。また、一方の値が「０」でなくてもよい。また、社員Ｐ１，Ｐ２，Ｐ３，・・・ごと風量設定刻みごとに割り当てられる２種類の第１評点についても、同様である。
【００８０】
（３）
上記実施形態において、社員Ｐ１，Ｐ２，Ｐ３，・・・が自身の希望温度および希望風量を幅を有する希望温度範囲又は希望風量範囲として入力できるようになっていなくてもよい。この場合、例えば、社員Ｐ１，Ｐ２，Ｐ３，・・・が希望温度又は希望風量として１つの温度設定刻み又は風量設定刻みを指定すると、設定入力部４１ａ，４２ａ，４３ａ，・・・や空調管理装置３０等によりその指定された温度設定刻み又は風量設定刻みを基準として自動的に（プラスマイナス１℃の幅が付加されるなどして）希望温度範囲又は希望風量範囲が設定される。
【００８１】
（４）
上記実施形態においては、空気調和装置１において設定温度値および設定風量値が決定される場合が例示されたが、本発明は、照明装置、加湿器、除湿器などの他の環境調整装置において複数の利用者の希望を調整して設定照度値、設定湿度値などの設定値を決定する場合にも適用可能である。
【００８２】
（５）
上記実施形態において、パソコン端末４１，４２，４３，・・・が個人専用のものとなっている場合には、社員Ｐ１，Ｐ２，Ｐ３，・・・のログイン情報に基づいて社員識別データが自動的に生成されるようになっていなくてもよい。この場合、空調管理装置３０においては、同じパソコン端末４１，４２，４３，・・・からの空調設定データは同じ社員Ｐ１，Ｐ２，Ｐ３，・・・からの空調設定データであるものとして取り扱われるようになっていてもよい。
【００８３】
（６）
上記実施形態において、設定入力画面１００上に性別選択エリア１０４、年齢選択エリア１０５、体調選択エリア１０６および役職選択エリア１０７が設けられていなくてもよい。この場合、例えば、社員Ｐ１，Ｐ２，Ｐ３，・・・の属性を示すデータがパソコン端末４１，４２，４３，・・・又は空調管理装置３０に予め記憶されており、社員Ｐ１，Ｐ２，Ｐ３，・・・の属性が社員Ｐ１，Ｐ２，Ｐ３，・・・による入力なくしてパソコン端末４１，４２，４３，・・・又は空調管理装置３０において自動的に判断されるようになっていてもよい。
【００８４】
（７）
上記第１実施形態のステップＳ１又は第２実施形態のＳ２１において、社員Ｐ１，Ｐ２，Ｐ３，・・・ごと温度設定刻みごとに割り当てられる第１評点は、社員Ｐ１，Ｐ２，Ｐ３，・・・によって任意に設定される希望温度の範囲長に応じて決定されるようになっていてもよい。
【００８５】
この場合において、室内ユニット１０の駆動後に社員Ｐ１，Ｐ２，Ｐ３，・・・から図５に示す空調設定データが送られてきたとすると、例えば、ステップＳ１において割り当てられる第１評点が図１１に示されるようになり、ステップＳ２１において割り当てられる第１評点が図１２に示されるようになる。すなわち、この変形例においては、ステップＳ１，Ｓ２１において社員Ｐ１，Ｐ２，Ｐ３，・・・に割り当てられる第１評点にその社員Ｐ１，Ｐ２，Ｐ３，・・・が設定した温度設定刻みの段階数で除した値が（社員Ｐ１の場合は３、社員Ｐ２の場合は３、社員Ｐ３の場合は４、社員Ｐ４の場合は２、社員Ｐ５の場合は５）第１評点として割り当てられることになる。
【００８６】
このように、この変形例においては、社員Ｐ１，Ｐ２，Ｐ３，・・・の希望温度の範囲長が長くなればなるほど、その社員Ｐ１，Ｐ２，Ｐ３，・・・に割り当てられる第１評点が低くなり、社員Ｐ１，Ｐ２，Ｐ３，・・・の希望温度の範囲長が短くなればなるほど、その社員Ｐ１，Ｐ２，Ｐ３，・・・に割り当てられる第１評点が高くなる。したがって、温度に敏感な社員Ｐ１，Ｐ２，Ｐ３，・・・に割り当てられる第１評点ほど高くなり、温度に鈍感な社員Ｐ１，Ｐ２，Ｐ３，・・・に割り当てられる第１評点ほど低くなる。そのため、より合理的に社員Ｐ１，Ｐ２，Ｐ３，・・・の希望を調整することができる。
【００８７】
なお、社員Ｐ１，Ｐ２，Ｐ３，・・・ごと風量設定刻みごとに割り当てられる第１評点についても、同様に調整することができる。
【００８８】
（８）
上記第２実施形態のステップＳ２１において、社員Ｐ１，Ｐ２，Ｐ３，・・・ごと温度設定刻みごとに割り当てられる第１評点は、希望温度範囲の中央付近で最小となり、中央値から外側へと離れるにつれて高くなるようになっていてもよい。この場合、ステップＳ４においては、ステップＳ３で算出された全ての第２評点のうち点数の最も低い第２評点に対応する温度設定刻みが設定温度値の候補値として選出される。これにより、この変形例においても、社員Ｐ１，Ｐ２，Ｐ３，・・・により入力された希望温度範囲の中央値に近ければ近い温度設定刻みほど、社員Ｐ１，Ｐ２，Ｐ３，・・・がより強く希望する値として取り扱うことができる。また、社員Ｐ１，Ｐ２，Ｐ３，・・・ごと風量設定刻みごとに割り当てられる第１評点についても、同様である。
【産業上の利用可能性】
【００８９】
本発明は、対象空間内の複数の利用者それぞれの嗜好を合理的に調整することにより、全体としての快適性を高めることができるという効果を有し、対象空間の環境条件を調整する環境調整装置として有用である。
【図面の簡単な説明】
【００９０】
【図１】本発明に係る空気調和装置が対象空間となる部屋に設置された様子を模式的に示す図。
【図２】本発明に係る空気調和装置の構成図。
【図３】本発明に係る設定入力画面を示す図。
【図４】本発明の第１実施形態に係る社員により入力された空調設定データに基づいて室内ユニットにおいて採用される設定温度値が決定される際の処理の流れを示すフローチャート。
【図５】例となる空調設定データの内容の詳細を示す図。
【図６】本発明の第１実施形態に係る社員ごと温度設定刻みごとに割り当てられる第１評点を示す図。
【図７】本発明の第１実施形態に係る重み付けが施された後の第１評点を示す図。
【図８】本発明の第１実施形態に係る候補値と各社員の希望温度範囲との距離を示す図。
【図９】本発明の第２実施形態に係る社員により入力された空調設定データに基づいて室内ユニットにおいて採用される設定温度値が決定される際の処理の流れを示すフローチャート。
【図１０】本発明の第２実施形態に係る社員ごと温度設定刻みごとに割り当てられる第１評点を示す図。
【図１１】本発明の第１実施形態の変形例に係る社員ごと温度設定刻みごとに割り当てられる第１評点を示す図。
【図１２】本発明の第２実施形態の変形例に係る社員ごと温度設定刻みごとに割り当てられる第１評点を示す図。
【符号の説明】
【００９１】
１  空気調和装置
４  専用ネットワーク
５  ローカルエリアネットワーク
１０  室内ユニット
２０  室外ユニット
３０  空調管理装置
３１ａ  第１評点割り当て部
３１ｂ  第２評点割り当て部
３１ｃ  設定部
３１ｄ  重み付け部
４１，４２，４３，・・・  パソコン端末
４１ａ，４２ａ，４３ａ，・・・  設定入力部
【図１】
0004826351.tif 000002
【図２】
0004826351.tif 000003
【図３】
0004826351.tif 000004
【図４】
0004826351.tif 000005
【図５】
0004826351.tif 000006
【図６】
0004826351.tif 000007
【図７】
0004826351.tif 000008
【図８】
0004826351.tif 000009
【図９】
0004826351.tif 000010
【図１０】
0004826351.tif 000011
【図１１】
0004826351.tif 000012
【図１２】
0004826351.tif 000013